(57)【要約】【課題】中間床と１階床より低い位置にある低床との間が収納空間された場合に、この収納空間に容易に出入りできる建物を提供する。【解決手段】１階床１Ｆより高く、２階床２Ｆより低い位置に中間床ＭＦ１が設けられ、この中間床ＭＦ１と、前記１階床１Ｆより低い位置にある低床１１ａとの間が収納空間１１とされ、収納空間１１に隣接して居間１０が設けられ、この居間１０の床１０ａと前記低床１１ａとが同高さに配置され、この居間１０と前記収納空間１１とを仕切る仕切壁１２に、前記収納空間１１に出入りするための出入口１３が形成されている。したがって、この出入口１３を通って収納空間１１に容易に出入りできる。【選択図】図１
2006118210.tif 000002
【特許請求の範囲】
【請求項１】
１階床より高く、２階床より低い位置に中間床が設けられ、この中間床と、前記１階床より低い位置にある低床との間が収納空間とされた建物において、
前記収納空間に隣接して居間が設けられており、この居間の床と前記低床とが同高さに配置されており、この居間と前記収納空間とを仕切る仕切壁には、前記収納空間に出入りするための出入口が形成されていることを特徴とする建物。
【請求項２】
請求項１に記載の建物において、前記低床は、土間床で構成されており、前記収納空間を形成する壁のうちの少なくとも一つの壁は、外壁で構成されており、この外壁には、収納空間に出入りするための開口部と、この開口部を開閉する戸が設けられていることを特徴とする建物。
【請求項３】
請求項１または２に記載の建物において、前記中間床上には、居室が設けられており、この居室の壁には、前記居間に開口する開口部が形成されていることを特徴とする建物。
【請求項４】
請求項１〜３のいずれか一項に記載の建物において、前記居間の上方は吹抜け空間となっていることを特徴とする建物。
【請求項５】
請求項１〜４のいずれか一項に記載の建物において、前記居間の壁の少なくとも一つの壁は、外壁で構成されており、この外壁には、居間に出入りするための開口部と、この開口部を開閉する戸が設けられていることを特徴とする建物。
【発明の詳細な説明】
【技術分野】
【０００１】
本発明は、建物に係り、特に１階の中間床の下方に収納空間を有する建物に関する。に関する。
【背景技術】
【０００２】
１階の中間床の下方に収納空間を有する建物の一例として、特許文献１に記載のものが知られている。この特許文献１に記載の建物は、建物の１階に、その床の一部を他の部分より高くした高床部分（中間床）を設け、その高床部分の下に収納空間を設け、その収納空間の床を、建物の１階の床より低くしたものである。高床部分の高さは、１階の床から６０ｃｍ程度であり、収納空間の床と１階の床との段差は６０ｃｍ程度である。したがって、収納空間の天井高は１．２ｍ程度となっており、大人が腰を屈めて作業できる高さを有している。
【特許文献１】特開２００１−３２３６６７号公報
【発明の開示】
【発明が解決しようとする課題】
【０００３】
ところで、上記特許文献１に記載の建物では、収納空間への出入口が何処に設けられているかは不明である。この出入口を、例えば、収納空間と１階の部屋とを仕切る仕切壁に設けた場合、この仕切壁の高さは、前記高床部分の高さである６０ｃｍであるので、この仕切壁に設ける出入口の高さは最大で６０ｃｍである。
【０００４】
したがって、出入口の高さを十分に確保できないため、収納空間への出入りが困難になるという問題がある。
【０００５】
本発明は上記事情に鑑みてなされたもので、中間床と１階床より低い位置にある低床との間が収納空間された場合に、この収納空間に容易に出入りできる建物を提供することを課題としている。
【課題を解決するための手段】
【０００６】
上記課題を解決するために、請求項１に記載の発明は、例えば図１〜図４に示すように、１階床１Ｆより高く、２階床２Ｆより低い位置に中間床ＭＦ１が設けられ、この中間床ＭＦ１と、前記１階床１Ｆより低い位置にある低床１１ａとの間が収納空間１１とされた建物において、
前記収納空間１１に隣接して居間１０が設けられており、この居間１０の床１０ａと前記低床１１ａとが同高さに配置されており、この居間１０と前記収納空間１１とを仕切る仕切壁１２には、前記収納空間１１に出入りするための出入口１３が形成されていることを特徴とする。
【０００７】
ここで、前記中間床ＭＦ１は、前記収納空間１１の天井高が０．９ｍ〜１．４ｍとなるように、高さ方向の位置を設定するのが望ましい。
【０００８】
また、前記低床１１ａは、１階床１Ｆより低い位置に形成された土間床であってもよいし、土間床以外の通常の床であってもよい。要は、１階床１Ｆより低い位置に設けられた床であればよい。
【０００９】
さらに、前記出入口１３には、これを開閉する戸を設けてもよい。
【００１０】
請求項１に記載の発明によれば、収納空間１１に隣接して居間１０が設けられており、この居間１０の床１０ａと収納空間１１の低床１１ａとが同高さに配置されており、この居間１０と前記収納空間１１とを仕切る仕切壁１２に、前記収納空間１１に出入りするための出入口１３が形成されているので、この出入口１３を通って収納空間１１に容易に出入りできる。
【００１１】
請求項２に記載の発明は、請求項１に記載の建物において、前記低床１１ａは、土間床で構成されており、前記収納空間１１を形成する壁のうちの少なくとも一つの壁は、外壁１４で構成されており、この外壁１４には、収納空間１１に出入りするための開口部１５と、この開口部１５を開閉する戸１５ａが設けられていることを特徴とする。
【００１２】
請求項２に記載の発明によれば、低床１１ａが土間床で構成されており、外壁１４に、収納空間１１に出入りするための開口部１５と、この開口部１５を開閉する戸１５ａが設けられているので、建物の外部から戸１５ａを開けて開口部１５から収納空間１１に容易に出入りでき、また、戸１５ａを閉じることによって、外部からの収納空間１１への風雨の侵入を防止できる。
【００１３】
請求項３に記載の発明は、請求項１または２に記載の建物において、前記中間床ＭＦ１上には、居室２０が設けられており、この居室２０の壁には、前記居間１０に開口する開口部２１が形成されていることを特徴とする。
【００１４】
ここで、開口部２１は前記出入口１３上に、連続して形成してもよいし、出入口１３とは所定の間隔をもって形成してもよい。
【００１５】
請求項３に記載の発明によれば、中間床ＭＦ１上の居室２０と、１階の居間１０との間で開口部２１を通して容易にコミュニケーションを図ることができるとともに、居間１０と居室２０との間で風通しがよくなる。
【００１６】
請求項４に記載の発明は、請求項１〜３のいずれか一項に記載の建物において、前記居間１０の上方は吹抜け空間２６となっていることを特徴とする。
【００１７】
請求項４に記載の発明によれば、居間１０の床１０ａは、１階床１Ｆより低い位置にあり、かつ、居間１０の上方が吹抜け空間２６となっているので、居間１０は天井高が非常に高くなり、よって開放感を高めることができる。
【００１８】
また、中間床ＭＦ１上に居室２０がある場合には、その開口部２１から吹抜け空間２６を臨むことができるので、居室２０の開放感も高めることができる。
【００１９】
請求項５に記載の発明は、請求項１〜４のいずれか一項に記載の建物において、前記居間１０の壁の少なくとも一つの壁は、外壁１７で構成されており、この外壁１７には、居間１０に出入りするための開口部１８と、この開口部１８を開閉する戸１８ａが設けられていることを特徴とする。
【００２０】
請求項５に記載の発明によれば、居間１０の床１０ａが１階床１Ｆより低い位置にあり、外壁１７に居間１０に出入りするための開口部１８が設けられているので、外部と居間１０との間を容易に行き来できる。つまり、居間１０の床面１０ａと外部の庭や土間等の面との段差を無くするか、あるいは小さくできるので、例えば、車椅子等でも外部と居間１０との間を容易に行き来できる。
【００２１】
また、戸１８ａを開けて開口部１８を開放することによって、居間１０と収納空間１１とを仕切る仕切壁１２に形成された出入口１３を通して収納空間１１に通風や採光を確保できる。
【発明の効果】
【００２２】
本発明によれば、中間床と、１階床より低い位置にある低床との間に設けられた収納空間に隣接して居間が設けられており、この居間の床と前記低床とが同高さに配置されており、この居間と前記収納空間とを仕切る仕切壁に、前記収納空間に出入りするための出入口が形成されているので、この出入口を通って収納空間に容易に出入りできる。
【発明を実施するための最良の形態】
【００２３】
以下、図面を参照して本発明の実施の形態について説明する。
【００２４】
図１は本発明に係る建物の一例を示す側断面図、図２は図１におけるＡ−Ａ線視断面図、図３は収納空間の平面図、図４は図１におけるＢ−Ｂ線視断面図である。
【００２５】
図１および図２に示すように、玄関１は建物の南西角部に設けられており、この玄関１の玄関ホール１ａの北側に、洗面所２と浴室３とが東西に隣接して設けられている。洗面所２の東側にはキッチン４が設けられている。また、玄関ホール１ａからは廊下５が東側に向けて延在しており、この廊下５の途中には、前記浴室３とキッチン４との間に位置する廊下５ａが接続されている。この廊下５ａの突き当たりにはトイレ６が設けられている。キッチン４の南側には、ホール７が設けられており、このホール７は前記廊下５に接続されている。
【００２６】
前記玄関ホール１ａ、洗面所２、浴室３、キッチン４、廊下５，５ａ、トイレ６、ホール７等の床は、全て等しい高さに位置しており、１階床を構成している。
【００２７】
図１に示すように、この１階床１Ｆより高く、かつ、２階床２Ｆより低い位置には中間床ＭＦ１が設けられている。また、前記ホール７の南側には、居間１０が設けられており、この居間１０の床１０ａは、１階床１Ｆより低い位置にある。床１０ａは土間床で構成されている。
【００２８】
また、前記中間床ＭＦ１の下方には、低床１１ａが設けられており、この低床１１ａと前記床１０ａは同高さとなっている。そして、中間床ＭＦ１と低床１１ａとの間に天井高が０．９〜１．４ｍ程度の収納空間１１が設けられている。
【００２９】
図３に示すように、前記収納空間１１と居間１０とを仕切る仕切壁１２には、収納空間１１に出入りするための出入口１３が形成されている。また、収納空間１１を形成する南側の壁は外壁１４で構成されており、この外壁１４には、収納空間１１に外部から出入りするための開口部１５と、この開口部１５を開閉する戸１５ａが設けられている。戸１５ａは引違い式のものであり、その面は格子状に形成されている。したがって、戸１５ａを閉じた状態でも、外部から戸１５ａを通して収納空間１１に採光できるようになっている。なお、戸１５ａには、防犯上、内側からロックできる鍵が設けられている。また、収納空間１５を形成する北側の内壁には、開口部１６とこの開口部１６を開閉する戸１６ａとが設けられている。戸１６ａは引戸であり、その面は格子状に形成されている。
【００３０】
図２に示すように、前記居間１０の南側の壁は外壁１７で構成されており、この外壁１７には、居間１０に出入りするための開口部１８とこの開口部１８を開閉する戸１８ａが設けられている。戸１８ａは折り戸式のものであり、開口部１８を全開できるようになっている。開口部１８の外側には、テラス１９が設けられており、このテラス１９の床と居間１０の床１０ａとはほぼ同じ高さとなっている。また、このテラス１９は西側に延出しており、収納空間１１前、玄関１前まで連続している。
【００３１】
したがって、テラス１９、居間１０、収納空間１１は、人やペット等が円形状の動線を描くようにして移動できる。
【００３２】
図１および図２に示すように、中間床ＭＦ１上には、居室２０が設けられている。この居室２０は中央部に畳を備えた和風の居室であり、その東側の内壁には、前記居間１０に開口する開口部２１が形成されている。この開口部２１は居室２０の天井まで開口した大きな開口であり、その下部には棚２２が開口部２１を横切るようにして設けられている。
【００３３】
また、建物の中央部には階段室が設けられており、この階段室には、１階のホール７の床と中間床ＭＦ１とを接続する階段２３と、中間床ＭＦ１と２階床２Ｆとを接続する階段２４と、２階床２Ｆとその上の中間床ＭＦ２とを接続する階段２５とが設けられている。
【００３４】
そして、前記居室２０には、階段２３の踊り場２３ａから出入りできるようになっている。
【００３５】
また、図１および図４に示すように、居間１０の上方は、吹抜け空間２６となっており、この吹抜け空間２６は前記中間床ＭＦ２より１段高い位置にある天井床２７まで吹抜けている。
【００３６】
前記２階床２Ｆ上には、図１および図４に示すように、西側に部屋２８が設けられており、東側に部屋２９が設けられている。部屋２８は子供部屋として使用されるものであり、該部屋２８の北側には収納空間３０が設けられている。この収納空間３０は天井高が０．９〜１．４ｍ程度の空間であり、その上方にはロフト３１が設けられている。
【００３７】
また、部屋２９は夫婦の寝室として使用されるものであり、該部屋２９の南側の内壁には、窓３２が設けられており、この窓３２は前記吹抜け空間２６に面している。部屋２９には前記吹抜け空間２６の一辺に沿って延在する廊下３３が接続されている。また、建物の２階の南東角部にはバルコニー３４が設けられており、このバルコニー３４には、前記廊下３３が接続されている。
【００３８】
前記中間床ＭＦ２には、部屋３５が設けられている。この部屋３５はアトリエとして使用されるものであり、その東側には、図１に示すように、前記天井床２７上にロフト３６が設けられている。そして、このロフト３６には部屋３５から物を出し入れできるようになっている。なお、部屋３５には、前記階段２５の踊り場２５ａから出入りできるようになっている。
【００３９】
本実施の形態によれば、収納空間１１に隣接して居間１０が設けられており、この居間１０の床１０ａと収納空間１１の低床１１ａとが同高さに配置されており、この居間１０と前記収納空間１１とを仕切る仕切壁１２に、前記収納空間１１に出入りするための出入口１３が形成されているので、この出入口１３を通って収納空間１１に容易に出入りできる。
【００４０】
また、収納空間１１の低床１１ａが土間床で構成されており、外壁１４に、収納空間１１に出入りするための開口部１５と、この開口部１５を開閉する戸１５ａが設けられているので、建物の外部から戸１５ａを開けて開口部１５から収納空間１１に容易に出入りでき、また、戸１５ａを閉じることによって、外部からの収納空間１１への風雨の侵入を防止できる。
【００４１】
さらに、中間床ＭＦ１上の居室２０と、１階の居間１０との間で開口部２１を通して容易にコミュニケーションを図ることができるとともに、居間１０と居室２１との間で風通しがよくなる。
【００４２】
加えて、居間１０の床１０ａは、１階床１Ｆより低い位置にあり、かつ、居間１０の上方が吹抜け空間２６となっているので、居間１０は天井高が非常に高くなり、よって開放感を高めることができる。
【００４３】
また、中間床ＭＦ上に居室２０があるので、その開口部２１から吹抜け空間２６を臨むことができるので、居室２９の開放感も高めることができる。
【００４４】
また、居間１０の床１０ａが１階床１Ｆより低い位置にあり、外壁１７に居間１０に出入りするための開口部１８が設けられているので、外部と居間１０との間を容易に行き来できる。つまり、居間１０の床面１０ａと外部のテラス１９との段差を無くするか、あるいは小さくできるので、例えば、車椅子等でも外部のテラス１９と居間１０との間を容易に行き来できる。
【００４５】
また、戸１８ａを開けて開口部１８を開放することによって、居間１０と収納空間１１とを仕切る仕切壁１２に形成された出入口１３を通して収納空間１１に通風や採光を確保できる。
【図面の簡単な説明】
【００４６】
【図１】本発明に係る建物の一例を示す側断面図である。
【図２】図１におけるＡ−Ａ線視断面図である。
【図３】本発明に係る建物の一例を示すもので、収納空間の平面図である。
【図４】図１におけるＢ−Ｂ線視断面図である。
【符号の説明】
【００４７】
１０  居間
１０ａ  床
１１  収納空間
１１ａ  低床
１２  仕切壁
１３  出入口
１４  外壁
１５  開口部
１５ａ  戸
２０  居室
２１  開口部
２６  吹抜け空間
１Ｆ  １階床
２Ｆ  ２階床
ＭＦ１  中間床
【図１】
2006118210.tif 000003
【図２】
2006118210.tif 000004
【図３】
2006118210.tif 000005
【図４】
2006118210.tif 000006